(57)【要約】【課題】支持部材に対して撮像素子が変位しないように光学部材を保持する。【解決手段】支持部材７は撮像素子８を支持する。弾性材料で形成される封止部材６は、撮像素子８とは非接触状態で撮像素子８とローパスフィルタ５との間に介在する。封止部材６は、撮像素子８の外形よりも外側で付勢部６ｅが支持部材７に当接すると共に、押圧部６ｂがローパスフィルタ５の外周部５ａに当接することで、支持部材７とローパスフィルタ５とを光軸方向において互いに離反する方向に付勢する。ローパスフィルタ５は、保持部材２０の位置決め部２０ａに押圧されて光軸方向に位置決めされる。【選択図】図７
2019004248.tif 000002
【特許請求の範囲】
【請求項１】
撮像光学系により結像した被写体像を電気信号に変換する撮像素子と、
保持部材と、
前記撮像素子を支持し、前記保持部材に固定される支持部材と、
前記撮像素子よりも被写体側に配置され、前記保持部材によって位置決めされる光学部材と、
第１の当接部及び第２の当接部を有し、弾性材料で形成され、前記撮像素子とは非接触状態で前記撮像素子と前記光学部材との間に介在する封止部材と、を有し、
前記封止部材は、前記第１の当接部が前記撮像素子の外形よりも外側で前記支持部材に当接すると共に前記第２の当接部が前記光学部材の外周部に当接することで、前記支持部材と前記光学部材とを前記撮像光学系の光軸方向において互いに離反する方向に付勢することを特徴とする撮像装置。
【請求項２】
前記第１の当接部は、全周に亘って前記支持部材に当接することを特徴とする請求項１に記載の撮像装置。
【請求項３】
前記撮像素子は前記支持部材に接着部で固定され、
前記第１の当接部は、前記接着部には当接しないことを特徴とする請求項１または２に記載の撮像装置。
【請求項４】
前記保持部材は貫通穴を有し、
前記封止部材は、被写体側に突設され且つ前記貫通穴に挿通される挿通部を有し、前記挿通部は抜け止め用の鉤部を有することを特徴とする請求項１〜３のいずれか１項に記載の撮像装置。
【請求項５】
前記封止部材は、被写体光を通過させるための矩形の開口部を有し、
前記挿通部は、前記封止部材における前記開口部の２つの短辺の各々の近傍に設けられたことを特徴とする請求項４に記載の撮像装置。
【請求項６】
前記保持部材よりも被写体側に配置され、前記光学部材とは別の光学部材と、
前記別の光学部材を保持する保持枠と、を有し、
前記保持枠には、前記挿通部が入る逃げ溝が形成されていることを特徴とする請求項４または５に記載の撮像装置。
【請求項７】
前記封止部材は、前記撮像素子に対向する突起部を有し、
前記突起部は、被写体側からの力が前記光学部材に加わらない通常状態では前記撮像素子に対して離間していて、被写体側からの所定以上の力が前記光学部材に加わると前記撮像素子に当接することを特徴とする請求項１〜４のいずれか１項に記載の撮像装置。
【請求項８】
前記封止部材は、被写体光を通過させるための矩形の開口部を有し、
前記突起部は、前記開口部の２つの長辺の各々に対応して設けられ、対応する長辺の略中央近傍に位置することを特徴とする請求項７に記載の撮像装置。
【請求項９】
前記第１の当接部は、前記第１の当接部に対応して前記支持部材に形成された凹状部に当接することを特徴とする請求項１〜８のいずれか１項に記載の撮像装置。
【請求項１０】
前記封止部材の外周部には被写体側に突出した突条部が形成され、
前記突条部は前記保持部材に対して入れ子状態となっていることを特徴とする請求項１〜９のいずれか１項に記載の撮像装置。
【発明の詳細な説明】
【技術分野】
【０００１】
本発明は、撮像面への異物の入り込みを防止するための封止部材を備える撮像装置に関する。
【背景技術】
【０００２】
従来、撮像素子の撮像面にゴミ等の異物が付着することによる撮影画像への写り込みを防ぐために、ゴム等の弾性材料で形成された封止部材が光学フィルタと撮像素子との間に配置される撮像装置が知られている。例えば、特許文献１には、弾性材料で形成される封止部材が、光学フィルタと撮像素子との間に位置し、撮像素子の受光面を包囲する技術が開示されている。また、特許文献２には、光学フィルタを、がたつきなく低コストで取り付ける技術が開示されている。特許文献２の装置では、弾性材料で成る遮光カバーに、光学フィルタを収容可能な収容開口部が設けられ、収容開口部の内周部に当接部と係合凸部とが形成される。光学フィルタが収容開口部内に押し込まれることで、光学フィルタの一方面側周縁部が当接部に当接すると共に、係合凸部の付勢面が光学フィルタの他方面側周縁部に当接して該光学フィルタを当接部に向けて付勢する。
【先行技術文献】
【特許文献】
【０００３】
【特許文献１】特許第５２９５３０４号公報
【特許文献２】特開２００５−３０９０５１号公報
【発明の概要】
【発明が解決しようとする課題】
【０００４】
しかしながら、従来技術では以下に示す課題がある。まず、特許文献１の技術では、撮像素子は封止部材によって光学フィルタから離反する方向に付勢される。そのため、監視カメラのように高温下で使用される撮像装置の場合には特に、支持部材に接着固定した撮像素子の接着部が温度上昇等で軟化し、撮像素子が付勢方向に移動（変位）するおそれがある。また、特許文献２の技術でも、撮像素子が光学フィルタから離反する方向に付勢される点は特許文献１と同様であり、高温下では撮像素子が付勢方向に変位するおそれがある。
【０００５】
本発明は、支持部材に対して撮像素子が変位しないように光学部材を保持することを目的とする。
【課題を解決するための手段】
【０００６】
上記目的を達成するために本発明は、撮像光学系により結像した被写体像を電気信号に変換する撮像素子と、保持部材と、前記撮像素子を支持し、前記保持部材に固定される支持部材と、前記撮像素子よりも被写体側に配置され、前記保持部材によって位置決めされる光学部材と、第１の当接部及び第２の当接部を有し、弾性材料で形成され、前記撮像素子とは非接触状態で前記撮像素子と前記光学部材との間に介在する封止部材と、を有し、前記封止部材は、前記第１の当接部が前記撮像素子の外形よりも外側で前記支持部材に当接すると共に前記第２の当接部が前記光学部材の外周部に当接することで、前記支持部材と前記光学部材とを前記撮像光学系の光軸方向において互いに離反する方向に付勢することを特徴とする。
【発明の効果】
【０００７】
本発明によれば、支持部材に対して撮像素子が変位しないように光学部材を保持することができる。
【図面の簡単な説明】
【０００８】
【図１】撮像装置の分解斜視図である。
【図２】レンズユニット及びその周辺の要素の分解斜視図である。
【図３】レンズユニットを被写体側からみた図である。
【図４】撮像装置のブロック図である。
【図５】撮像素子が実装された基板を被写体側から見た図である。
【図６】封止部材を被写体側から見た図、封止部材の側面図、封止部材を撮像素子側から見た図である。
【図７】図３のＡ−Ａ線に沿う断面図である。
【図８】撮像素子側から見たローパスフィルタ及びその周辺の模式図である。
【図９】図３のＢ−Ｂ線に沿う断面図である。
【図１０】図８のＣ−Ｃ線に沿う断面図である。
【図１１】図３のＡ−Ａ線に沿う断面図である。
【発明を実施するための形態】
【０００９】
以下、図面を参照して本発明の実施の形態を説明する。
【００１０】
図１は、本発明の一実施の形態に係る撮像装置の分解斜視図である。この撮像装置は主に、ドームカバー２、ドーム３、レンズユニット４、ローパスフィルタ５、封止部材６、支持部材７、撮像素子８、基板９、パンチルトローテーションユニット１０を有する。支持部材７は接着によって撮像素子８を支持する金属部材である。撮像素子８は基板９に実装される。支持部材７はレンズユニット４に固定される。ローパスフィルタ５は、弾性材料で形成される封止部材６に付勢される態様で支持部材７に保持される光学部材である。パンチルトローテーションユニット１０は、ドームカバー２との間に挟み込まれるように配置されるレンズユニット４等の構成要素を、パン、チルト、ローテーション方向に回転可能に保持する。
【００１１】
図２は、レンズユニット４及びその周辺の要素の分解斜視図である。図３は、レンズユニット４を被写体側からみた図である。図２に示すように、レンズユニット４は、撮像光学系としてＬ１〜Ｌ４の４つのレンズ群を有する。まず、第１群レンズＬ１、第３群レンズＬ３は固定群の光学系である。第２群レンズＬ２は、撮像光学系の光軸Ｃ（図１）方向に移動してズーム動作を行う移動群の光学系である。第４群レンズＬ４は、光軸方向に移動して合焦動作を行う移動群の光学系である。固定枠１１は第１群レンズＬ１を保持し、ビス１１ａによって固定枠１２に固定される。固定枠１５は第３群レンズＬ３を保持する。固定枠１５は、固定枠１２と固定枠１７とに挟み込まれる態様で、第２群レンズＬ２に固定された絞りユニット（不図示）に係合している。
【００１２】
ガイドバー１３ｄ、１６ｄは各々、固定枠１２と固定枠１７とに固定されている。ガイドバー１３ｅは、固定枠１２と固定枠１５とに固定されている。ガイドバー１６ｅは、固定枠１２と固定枠１７とに固定されている。可動枠１３は第２群レンズＬ２を保持し、ガイドバー１３ｄによって光軸方向に移動可能に支持される。ガイドバー１３ｅに、可動枠１３の図示しないＵ溝が係合しており、これにより可動枠１３は、光軸周りの回転を規制される。可動枠１６は第４群レンズＬ４を保持し、ガイドバー１６ｄによって光軸方向に移動可能に支持される。ガイドバー１６ｅに、可動枠１６のＵ溝が係合しており、これにより可動枠１６は、光軸周りの回転を規制される。
【００１３】
モータ２１、２２はいずれもステッピングモータである。ズーム用のモータ２１は、ビス１６ｂによって固定枠１２に固定される。可動枠１３に固定されたラック１３ｃにネジ部２１ａが係合し、モータ２１の回転により、可動枠１３は光軸方向に移動する。フォーカス用のモータ２２は、ビス２２ａによって固定枠１７に固定される。可動枠１６に固定されたラック１６ｃにネジ部２２ａが係合し、モータ２２の回転により、可動枠１６は光軸方向に移動する。ユニット１３ａは、フォトインタラプタと板金で構成され、固定枠１７にビス１３ｂによって固定される。ユニット１３ａは固定枠１７上に配置され、フォトインタラプタの出力とモータの回転数とによって可動枠１３の位置が制御される。また、固定枠１７には、フォトインタラプタと板金で構成された別のユニットが固定されている。このユニットは固定枠１７上に配置され、フォトインタラプタの出力とモータの回転数とによって可動枠１６の位置が制御される。
【００１４】
赤外線カットフィルタ１９ａはローパスフィルタ５とは別の光学部材である。フィルタ枠１９は赤外線カットフィルタ１９ａを保持する保持枠である。フィルタ切替え用のアクチュエータ１８、フィルタ枠１９及び赤外線カットフィルタ１９ａは、固定枠１７と保持部材２０とに挟まれる位置に配置される。固定枠１７と保持部材２０とはビス３１によって固定される。アクチュエータ１８は、赤外線カットフィルタ１９ａを保持したフィルタ枠１９を光軸Ｃに垂直な方向へ移動させ、これにより赤外線カットフィルタ１９ａを光路上に対して挿脱できる。ユニット１９ｂは、フォトインタラプタと板金で構成され、保持部材２０にビス１９ｃによって固定される。ユニット１９ｂは保持部材２０上に配置され、フォトインタラプタの出力によってフィルタ枠１９の位置が判別される。ビス７ｂによって支持部材７が保持部材２０に固定されることで、ローパスフィルタ５は封止部材６に付勢される態様で保持される。
【００１５】
図４は、撮像装置のブロック図である。撮影時に被写体光がレンズユニット４の撮像光学系により撮像素子８の撮像面に結像し、結像した被写体像を撮像素子８が電気信号に変換する。その電気信号はカメラ処理信号部２３によりデジタル信号に変換され、ＡＦゲート２４を経由してＡＦ信号処理２５で所定の処理を施されてＣＰＵ２６に入力される。ＣＰＵ２６は、入力された信号を元にモータ２１、２２によって第２群レンズＬ２、第４群レンズＬ４を光軸方向に移動させる。ＣＰＵ２６は、絞りモータ１４を動作させて絞り羽根を変化させる。また、ＣＰＵ２６は、夜間撮影を行う場合はアクチュエータ１８を動作させて赤外線カットフィルタ１９ａを光路外に退避させる。またＰＣ２９は、チルト角が入力されると、チルトモータ２７を動作させてチルトユニット２８を駆動し、レンズユニット４のチルト角を変化させる。チルトユニット２８はチルト角を検知する機能も備えており、検知されたチルト角はＣＰＵ２６を介してパーソナルコンピュータ（ＰＣ）２９にフィードバックされる。
【００１６】
図５は、撮像素子８が実装された基板９を被写体側から見た図である。撮像素子８は、レンズユニット４を通して結像した撮像エリア８ａの被写体像を電気信号に変換する。撮像エリア８ａは、撮像装置が撮像可能な矩形の領域である。撮像素子８のパッケージの短辺８ｂは、短辺８ｂと平行な撮像エリア８ａの短辺８ｄの２倍以上の長さを有する。また、パッケージの長辺８ｃは、長辺８ｃと平行な撮像エリア８ａの長辺８ｅの２倍以上の長さを有する。撮像エリア８ａの長辺８ｅと短辺８ｄのサイズ比は１６：９である。撮像素子８の矩形の外形はローパスフィルタ５の矩形の外形よりも大きい。すなわち、撮像素子８の外形の４辺はそれぞれ、各辺に平行なローパスフィルタ５の外形の４辺より長い。
【００１７】
図６（ａ）、（ｃ）はそれぞれ、封止部材６を被写体側、撮像素子側から見た図である。図６（ｂ）は封止部材６の側面図である。封止部材６は、撮像素子８の撮像エリア８ａにゴミ等の異物が付着しないようにするために設けられる。封止部材６は、被写体光を通過させるための開口部６ｆを有する。開口部６ｆは、２つの短辺６ｆ１と２つの長辺６ｆ２とを有する矩形の開口部である。開口部６ｆは、ローパスフィルタ５の外形よりも小さい。開口部６ｆの短辺６ｆ１、長辺６ｆ２が、撮像エリア８ａの短辺８ｄ、長辺８ｅに対応している。封止部材６の撮像素子側の面には、撮像素子側に突出する環状形状の付勢部６ｅが形成されている（図６（ｃ））。付勢部６ｅは、支持部材７と当接して支持部材７を付勢する第１の当接部である。付勢部６ｅは連続して形成され、その全周に亘って支持部材７に当接する。封止部材６の被写体側の面における開口部６ｆの周囲の環状部分は押圧部６ｂである（図６（ａ））。押圧部６ｂは、ローパスフィルタ５と当接してローパスフィルタ５を押圧する第２の当接部である。
【００１８】
封止部材６の被写体側に挿通部６ａが２つ突設されている（図６（ａ）、（ｂ））。挿通部６ａは、開口部６ｆの短辺６ｆ１の各々の近傍に設けられる。挿通部６ａは各々、保持部材２０が有する貫通穴である穴部２０ｄ（図９、図１０で後述）に挿通される。挿通部６ａは先端部に抜け止め用の鉤部６ｃを有し、挿通部６ａが穴部２０ｄから抜けることを抑止する。封止部材６の撮像素子側に、撮像素子８に対向して突起部６ｄが２つ突設されている（図６（ｃ））。突起部６ｄは、開口部６ｆの２つの長辺６ｆ２の各々に対応して設けられる。各突起部６ｄは、対応する長辺６ｆ２の略中央近傍（長辺６ｆ２の長さ方向における略中心）に位置する。封止部材６の外周部には、被写体側に突出した突条部６ｇが形成されている（図６（ａ））。突条部６ｇは封止部材６の最外周部の全周に亘って形成される。
【００１９】
図７は、図３のＡ−Ａ線に沿う断面図である。図８は、撮像素子側から見たローパスフィルタ５及びその周辺の模式図である。図８では、封止部材６、支持部材７、撮像素子８、基板９の図示は省略されている。図９は、図３のＢ−Ｂ線に沿う断面図である。図１０は、図８のＣ−Ｃ線に沿う断面図である。
【００２０】
図７に示すように、撮像素子８は支持部材７に接着部７ａにて接着固定されることで支持部材７に支持される。接着部７ａには例えば、紫外線硬化樹脂等の接着剤が用いられる。支持部材７には、撮像素子８の外形よりも外側に（撮像素子８を囲む形で）凹状部７ｃが形成されている。凹状部７ｃは、光軸方向から見て付勢部６ｅに対応する環状に形成される。封止部材６は、撮像素子８とは非接触状態で撮像素子８とローパスフィルタ５との間に介在する。封止部材６は、付勢部６ｅが支持部材７の凹状部７ｃの底部に当接すると共に、押圧部６ｂがローパスフィルタ５の外周部５ａに当接している。これにより、封止部材６は、支持部材７とローパスフィルタ５とを光軸方向において互いに離反する方向に付勢する。ローパスフィルタ５は、押圧部６ｂからの付勢力を受けて、保持部材２０の位置決め部２０ａに押圧され光軸方向に位置決めされて保持部材２０に保持される。付勢部６ｅは、対応する形状の凹状部７ｃと当接するので、付勢部６ｅの支持部材７に対する接触位置が安定する。その結果、押圧部６ｂによるローパスフィルタ５への付勢力も安定する。
【００２１】
付勢部６ｅは支持部材７を付勢するが撮像素子８自体を付勢しないので、接着部７ａが温度上昇等で軟化したとしても、撮像素子８が付勢方向に変位（移動）することが回避される。付勢部６ｅは、全周に亘って支持部材７に当接するので、ローパスフィルタ５と支持部材７とを離反する方向に付勢する力が安定する。それだけでなく、付勢部６ｅによるシール性が高まり、封止部材６と支持部材７との隙間から内部に異物が入るのを防ぐことができる。さらに付勢部６ｅは接着部７ａに触れない位置（接着部７ａよりも外側）で支持部材７に当接する。これによっても、接着部７ａが温度上昇等で軟化したとしても、撮像素子８の変位が回避される。なお、被写体側からの力がローパスフィルタ５に加わっていない通常状態では封止部材６と撮像素子８とが非接触状態であるが、被写体側からの力がローパスフィルタ５に加わると両者は当接状態となり得る（図１１で後述する）。
【００２２】
保持部材２０には、被写体光を撮像素子８に入射させるための矩形の開口部２０ｃが形成される（図７、図９）。保持部材２０は、ローパスフィルタ５を光軸方向に位置決めする位置決め部２０ａ、ローパスフィルタ５を光軸Ｃに垂直な方向に位置決めする位置決め部２０ｂを有する（図７）。保持部材２０には、貫通穴である穴部２０ｄが形成され、穴部２０ｄに封止部材６の挿通部６ａが挿通されている（図１０）。穴部２０ｄを貫通した挿通部６ａの鉤部６ｃが穴部２０ｄの被写体側の部分に係止されることで、挿通部６ａが穴部２０ｄから抜けることが防止されると共に、封止部材６の挿通部６ａ付近の肉部をローパスフィルタ５側に押圧する力が高まっている。
【００２３】
ところで、封止部材６は、支持部材７に対しては撮像素子８の外形よりも外側に当接し、ローパスフィルタ５に対しては撮像素子８の外形よりも内側に当接している。これにより、封止部材６は、撮像素子８に対して非接触状態で介在できる。しかし、採用される撮像素子８の外形が大きい場合は、光軸Ｃに直交する方向における押圧部６ｂと付勢部６ｅとの距離が長くなる。すると、封止部材６によるローパスフィルタ５に対する付勢力が弱くなり、撮像装置の落下や振動などの衝撃によって、保持部材２０からローパスフィルタ５が脱落するおそれがある。そこで本実施の形態では、挿通部６ａが穴部２０ｄに抜け止め状態で係合することで、封止部材６と保持部材２０とでローパスフィルタ５を挟む力を作用させ、封止部材６によるローパスフィルタ５への適切な押圧力を確保する。これにより、撮像素子８のサイズが大きいために押圧部６ｂと付勢部６ｅとの距離が長い設計であっても、保持部材２０からのローパスフィルタ５の脱落が防止される。
【００２４】
なお、挿通部６ａは穴部２０ｄを貫通して保持部材２０の被写体側に突出する（図９、図１０）。一方、フィルタ枠１９には、挿通部６ａに対応して凹状の逃げ溝１９ｄが形成されている（図９）。挿通部６ａの先端部が逃げ溝１９ｄに入ることで、光軸方向における省スペースが図られると共に、フィルタ枠１９と保持部材２０との間から内部にゴミ等の異物が入ることが抑制される。ここで、逃げ溝１９ｄは、逃げ形状として、フィルタ枠１９の移動方向で且つ開口部６ｆの短辺６ｆ１と略平行に形成される。仮に、開口部６ｆの長辺６ｆ２の近傍に逃げ溝１９ｄ及び挿通部６ａを配置したとすると、挿通部６ａが赤外線カットフィルタ１９ａに干渉するおそれがあるが、挿通部６ａが短辺６ｆ１近傍に配置されることで、干渉の回避や逃げ形状の形成が容易となっている。
【００２５】
突起部６ｄは、被写体側からの所定以上の力がローパスフィルタ５に加わると、撮像素子８に当接し、ローパスフィルタ５の脱落を防止する役割を有する。図１１は、図３のＡ−Ａ線に沿う断面図であり、特に、突起部６ｄが撮像素子８に当接した状態を示している。ローパスフィルタ５の外形が撮像素子８のパッケージの外形より十分に小さい場合、押圧部６ｂと付勢部６ｅとの距離（特に光軸Ｃに垂直な方向の距離）が長くなり、封止部材６が光軸方向に撓みやすくなり弾性変形量が大きくなる。ここで、光軸方向において被写体側からの所定以上の力がローパスフィルタ５を介して押圧部６ｂに加わると、封止部材６が光軸方向に撓む。その際、光軸方向の変形量が最も大きくなるのは開口部６ｆの長辺６ｆ２の中央である。ところが、各突起部６ｄは、対応する長辺６ｆ２の略中央近傍に設けられている。そのため、封止部材６のうち突起部６ｄが最初に撮像素子８に接触する。これにより、封止部材６の過剰な変形が抑制され、ローパスフィルタ５が光軸方向に動いて脱落することが効果的に回避される。
【００２６】
図７に示すように、突条部６ｇは、保持部材２０に対して入れ子状態となっている。すなわち、光軸Ｃに直交する方向から見て、保持部材２０の一部と突条部６ｇとはオーバーラップしている。具体的には、突条部６ｇは、被写体側に突出しており、保持部材２０には、突条部６ｇに対応する凹状部が形成されており、突条部６ｇが凹状部に嵌っている。これにより、保持部材２０と封止部材６との隙間から内部にゴミが入るのを一層防ぐことが可能となり、撮像素子８に侵入するゴミ対策が強化される。
【００２７】
本実施の形態によれば、封止部材６は、撮像素子８とは非接触状態で撮像素子８とローパスフィルタ５との間に介在する。そして封止部材６は、撮像素子８の外形よりも外側で付勢部６ｅが支持部材７に当接すると共に、押圧部６ｂがローパスフィルタ５の外周部５ａに当接することで、支持部材７とローパスフィルタ５とを光軸方向において互いに離反する方向に付勢する。また、付勢部６ｅは接着部７ａにも当接しない。これらにより、接着部７ａが温度上昇等で軟化したとしても、支持部材７に対して撮像素子８が変位しないようにローパスフィルタ５を保持することができる。また、付勢部６ｅは、全周に亘って支持部材７に当接するので、ゴミ対策が確保されると共に、ローパスフィルタ５への付勢力が安定する。しかも、付勢部６ｅは凹状部７ｃと当接するので、封止部材６の位置が安定し、支持部材７及びローパスフィルタ５への、互いに離反する方向への付勢力も安定する。
【００２８】
また、封止部材６の挿通部６ａが保持部材２０の穴部２０ｄに挿通され、鉤部６ｃが抜け止め機能を果たすので、保持部材２０からのローパスフィルタ５の脱落を防止すると共に、封止部材６のローパスフィルタ５への押圧力が高まる。しかも、挿通部６ａが開口部６ｆの短辺６ｆ１近傍に配置されたので、挿通部６ａに対する逃げ形状を形成するのが容易であり、他の部材とも干渉しにくい。具体的に、フィルタ枠１９に、挿通部６ａが入る逃げ形状として逃げ溝１９ｄを形成したので、光軸方向の省スペースを図ることができると共に、フィルタ枠１９と保持部材２０との間から内部に異物が入ることを抑制できる。
【００２９】
また、封止部材６の突起部６ｄは、通常状態では撮像素子８に対して離間していて、被写体側からの所定以上の力がローパスフィルタ５に加わると撮像素子８に当接するので、ローパスフィルタ５への過負荷発生時にもローパスフィルタ５の脱落を防止できる。特に、各突起部６ｄは、対応する長辺６ｆ２の略中央近傍に設けられるので、封止部材６の過剰な変形が抑制され、ローパスフィルタ５の脱落を効果的に防止できる。
【００３０】
また、突条部６ｇは、保持部材２０に対して入れ子状態となっているので、保持部材２０と封止部材６との間の異物侵入の防止効果が強化される。
【００３１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３２】
５  ローパスフィルタ
５ａ  外周部
６  封止部材
６ｅ  付勢部
６ｂ  押圧部
７  支持部材
８  撮像素子
２０  保持部材
【図１】
2019004248.tif 000003
【図２】
2019004248.tif 000004
【図３】
2019004248.tif 000005
【図４】
2019004248.tif 000006
【図５】
2019004248.tif 000007
【図６】
2019004248.tif 000008
【図７】
2019004248.tif 000009
【図８】
2019004248.tif 000010
【図９】
2019004248.tif 000011
【図１０】
2019004248.tif 000012
【図１１】
2019004248.tif 000013